(57)【要約】【課題】  容易、迅速かつ安価にネーム入り箸を提供できるシステムを提供する。【解決手段】  クライアント端末装置からのネーム入り箸の注文情報を電気通信回線を介してセンターのホストコンピューターが受け取り、受け取った該注文情報に基づいて箸へのネーム記入を行ってネーム入り箸を作製し、作製したネーム入り箸をクライアントに提供するネーム入り箸の作製提供システムであって、該センターが、該注文情報を受け取り、受注処理をデータベースに登録して行う受注処理手段と、該受注処理手段により受注処理されたデータに基づいて箸へのネーム記入に必要な作製情報を作成するネーム記入情報作成手段と、該ネーム記入情報作成手段により作製されたネーム記入情報に従ってネーム記入を行うネーム記入手段と、ネーム記入の完了した完成品の情報と出荷処理のための情報を管理する完成品管理手段を有することを特徴とするネーム入り箸の作製提供システム。【選択図】      なし【特許請求の範囲】
【請求項１】
クライアント端末装置からのネーム入り箸の注文情報を電気通信回線を介してセンターのホストコンピューターが受け取り、受け取った該注文情報に基づいて箸へのネーム記入を行ってネーム入り箸を作製し、作製したネーム入り箸をクライアントに提供するネーム入り箸の作製提供システムであって、
該センターが、
該注文情報を受け取り、受注処理をデータベースに登録して行う受注処理手段と、
該受注処理手段により受注処理されたデータに基づいて箸へのネーム記入に必要な作製情報を作成するネーム記入情報作成手段と、
該ネーム記入情報作成手段により作製されたネーム記入情報に従ってネーム記入を行うネーム記入手段と、
ネーム記入の完了した完成品の情報と出荷処理のための情報を管理する完成品管理手段を有することを特徴とするネーム入り箸の作製提供システム。
【請求項２】
クライアント端末装置が、インターネット接続されたパーソナルコンピュータ又は携帯型小型コンピューター端末装置であり、電気通信回線が、インターネットであることを特徴とする請求項１に記載のシステム。
【請求項３】
クライアント端末が、インターネット接続可能な携帯電話であり、電気通信回線が。インターネットであることを特徴とする請求項１に記載のシステム。
【請求項４】
記入すべきネームの情報が、配布するネーム入り箸の相手の名前のリストを含むことを特徴とする請求項１〜３のいずれかに記載のシステム。
【請求項５】
記入すべきネームの情報が、文字の種類、文字の書体、文字の大きさ、文字の配置又は文字の色を含むことを特徴とする請求項１〜４のいずれかに記載のシステム。
【請求項６】
該注文情報が、記入される箸の製品情報を含むことを特徴とする請求項１〜５のいずれかに記載のシステム。
【請求項７】
ネームを記入する箸が、塗り箸であることを特徴とする請求項１〜６のいずれかに記載のシステム。
【請求項８】
ネームを記入する箸の記入面が、湾曲状であることを特徴とする請求項１〜７のいずれかに記載のシステム。
【請求項９】
ネームの記入が転写機構により行われることを特徴とする請求項１〜８のいずれかに記載のシステム。
【請求項１０】
該転写機構が、転写すべきネームが印字された転写シールを作製する転写シール作製装置と、箸に対して該転写シールを転写する転写装置からなることを特徴とする請求項９に記載のシステム。
【請求項１１】
ネームの記入がインクジェット方式に印字装置により行われることを特徴とする請求項１〜８のいずれかに記載のシステム。
【請求項１２】
クライアントから受け取った、ネーム入り箸の注文情報を格納した電子情報記録媒体を受け取り、受け取った該電子情報記録媒体に格納されている該注文情報をセンターのホストコンピューターに取り込み、該注文情報に基づいて箸へのネーム記入を行ってネーム入り箸を作製し、作製したネーム入り箸をクライアントに提供するネーム入り箸の作製提供システムであって、
該センターが、
該注文情報を取り込み、受注処理をデータベースに登録して行う受注処理手段と、
該受注処理手段により受注処理されたデータに基づいて箸へのネーム記入に必要な作製情報を作成するネーム記入情報作成手段と、
該ネーム記入情報作成手段により作製されたネーム記入情報に従ってネーム記入を行うネーム記入手段と、
ネーム記入の完了した完成品の情報と出荷処理のための情報を管理する完成品管理手段を有することを特徴とするネーム入り箸の作製提供システム。
【発明の詳細な説明】
【技術分野】
【０００１】
本発明は、コンピューターシステムを利用したネーム入り箸の作製提供システムに関するものである。
【背景技術】
【０００２】
結婚式のお祝いの席等で、出席者のネームを記入した箸を出席者の席の前に配置することは既に行われている。自分のネーム入りの箸が席の前に置かれていると、出席者は非常に好感を得るものである。また、弁当を持参する園児等にネーム入り箸を持たせると他人のモノと間違えることがなくなり、また紛失しても探しやすいという利点がある。このようなネーム入り箸は、従来、箸に手書きや手彫りでネームを記入して作製されているのが実情であった。
【０００３】
しかしながら、手書きや手彫りでネームを記入して作製する箸は、注文の際にも、その作製店舗等に出向いて、カタログは見本等を見ながら打ち合わせをしなければならず、場合によっては何度も来店を余儀なくされていた。またその作製、発注等にもかなりの時間と費用が必要であった。
となり、を要するため、より容易に、より迅速に、かつより安価にネーム入り箸を提供できるようなシステムが実現することが望まれていた。
【発明の開示】
【発明が解決しようとする課題】
【０００４】
本発明は、このような従来技術の実状に鑑みてなされたもので、より容易に、より迅速に、かつより安価にネーム入り箸を提供できるシステムを提供することをその課題とする。
【課題を解決するための手段】
【０００５】
本発明によれば、上記課題は下記の技術的手段により解決される。
（１）クライアント端末装置からのネーム入り箸の注文情報を電気通信回線を介してセンターのホストコンピューターが受け取り、受け取った該注文情報に基づいて箸へのネーム記入を行ってネーム入り箸を作製し、作製したネーム入り箸をクライアントに提供するネーム入り箸の作製提供システムであって、
該センターが、
該注文情報を受け取り、受注処理をデータベースに登録して行う受注処理手段と、
該受注処理手段により受注処理されたデータに基づいて箸へのネーム記入に必要な作製情報を作成するネーム記入情報作成手段と、
該ネーム記入情報作成手段により作製されたネーム記入情報に従ってネーム記入を行うネーム記入手段と、
ネーム記入の完了した完成品の情報と出荷処理のための情報を管理する完成品管理手段を有することを特徴とするネーム入り箸の作製提供システム。
（２）クライアント端末装置が、インターネット接続されたパーソナルコンピュータ又は携帯型小型コンピューター端末装置であり、電気通信回線が、インターネットであることを特徴とする前記（１）に記載のシステム。
（３）クライアント端末が、インターネット接続可能な携帯電話であり、電気通信回線が。インターネットであることを特徴とする前記（１）に記載のシステム。
（４）記入すべきネームの情報が、配布するネーム入り箸の相手の名前のリストを含むことを特徴とする前記（１）〜（３）のいずれかに記載のシステム。
（５）記入すべきネームの情報が、文字の種類、文字の書体、文字の大きさ、文字の配置又は文字の色を含むことを特徴とする前記（１）〜（４）のいずれかに記載のシステム。
（６）該注文情報が、記入される箸の製品情報を含むことを特徴とする前記（１）〜（５）のいずれかに記載のシステム。
（７）ネームを記入する箸が、塗り箸であることを特徴とする前記（１）〜（６）のいずれかに記載のシステム。
（８）ネームを記入する箸の記入面が、湾曲状であることを特徴とする前記（１）〜（７）のいずれかに記載のシステム。
（９）ネームの記入が転写機構により行われることを特徴とする前記（１）〜（８）のいずれかに記載のシステム。
（１０）該転写機構が、転写すべきネームが印字された転写シールを作製する転写シール作製装置と、箸に対して該転写シールを転写する転写装置からなることを特徴とする前記（９）に記載のシステム。
（１１）ネームの記入がインクジェット方式に印字装置により行われることを特徴とする前記（１）〜（８）のいずれかに記載のシステム。
（１２）クライアントから受け取った、ネーム入り箸の注文情報を格納した電子情報記録媒体を受け取り、受け取った該電子情報記録媒体に格納されている該注文情報をセンターのホストコンピューターに取り込み、該注文情報に基づいて箸へのネーム記入を行ってネーム入り箸を作製し、作製したネーム入り箸をクライアントに提供するネーム入り箸の作製提供システムであって、
該センターが、
該注文情報を取り込み、受注処理をデータベースに登録して行う受注処理手段と、
該受注処理手段により受注処理されたデータに基づいて箸へのネーム記入に必要な作製情報を作成するネーム記入情報作成手段と、
該ネーム記入情報作成手段により作製されたネーム記入情報に従ってネーム記入を行うネーム記入手段と、
ネーム記入の完了した完成品の情報と出荷処理のための情報を管理する完成品管理手段を有することを特徴とするネーム入り箸の作製提供システム。
【発明の効果】
【０００６】
本発明によれば、上記構成を採用したことにより、より容易に、より迅速に、かつより安価にネーム入り箸を提供できるシステムを提供することが可能となる。
また、本システムで提供されたネーム入り箸は、ネームが記入されているので、例えば結婚式等のお祝いの席等において用いると、出席者に非常に好感を持たせることとなりその効果は絶大である。
さらに、幼稚園等に入園する際に、親は全ての持参品に名前を書かなくてはならないが、弁当とともに持参する箸には名前を書くことは難しかったが、本システムで提供されたネーム入り箸では、そのような困難性は解消される。
【発明を実施するための最良の形態】
【０００７】
以下、本発明を好ましい実施例に基づいて詳細に説明する。
図１に本発明によるネーム入り箸の作製提供システムの概略構成を模式的に示す。
図１において１０はクライアント端末装置、２０はインターネット、３０はセンターである。本例では、クライアント端末装置１０として、インターネット接続されたパーソナルコンピュータを用いた場合について述べる。
【０００８】
センター３０はホストコンピューター４０を有しており、該ホストコンピューター４０は、クライアント側のパーソナルコンピューター１０からのネーム入り箸の注文情報をインターネット２０を介して受け取り、その情報をデータベースに登録する受注処理手段４１と、該受注処理手段４１により受注処理されたデータに基づいて、箸へのネーム記入に必要な作製情報を作成するネーム記入情報作成手段４２と、該ネーム記入情報作成手段４２により作製された作製情報に基づいて、ネーム等の被転写部を含む転写シールを作製する転写シール作製装置４３と、作製した転写シールを対象となる箸に転写する転写装置４４と、ネーム記入の完了した完成品の情報と出荷処理のための情報を管理する完成品管理手段４５と、サービスに係る入出金を管理する課金管理手段４６を有する。
【０００９】
クライアント側のパーソナルコンピューター１０はインターネット接続されたものであればよく、ネーム入り箸の注文情報、例えば、箸の種類、ネームの文字の種類（漢字、ひらがな、カタカナ、ローマ字、その他のタイプの文字、これらを混合したもの等）、ネームの文字のフォントのタイプ、ネームの文字を大きさ、ネームの文字の配置、記入すべき氏名、納品期限、文字の色、記入すべき氏名等の情報を、例えばマイクロソフト社のワープロソフトのＷＯＲＤ、ＥＸＣＥＬ等のソフトウェアの電子データとして添付して、電子メールでセンター３０に送信することができるものであればよい。
【００１０】
この場合、センター３０はホームページを開設し、クライアントに対して、箸に記入すべき各種情報、顧客登録、注文方法等の種々の情報を提供できるようにしておくことが好ましい。より好ましくは、このホームページに表示された注文手続に従い、所要のデータを入力することにより、発注手続が完了できることが好ましい。
【００１１】
センター３０のホストコンピューター４０の受注処理手段４１は、クライアント側のパーソナルコンピューター１０からネーム入り箸の注文情報を受け取り、それをデーターペース４７に書き込む。この際、さらに必要な情報等があればクライアントに連絡等したりして、ネーム入り箸の作製提供が可能となるよう、センター３０側にて追加情報を入力する。この場合、必要情報としては、例えば、記入すべき氏名、箸の種類、文字のフォント、色、配置、種類（漢字、ひらがな、カタカナ、ローマ字、その他のタイプの文字、これらを混合したもの等）、納期、包装方法、費用、支払い手段等を挙げることができる。
【００１２】
ネーム記入情報作成手段４２は、クライアントから提供された電子情報に基づいて、本ホストコンピューター４０のデータベースのフォーマットに合致した形式で必要情報を加工し、箸へのネーム記入に必要な作製情報を作製する。
【００１３】
本実施例では、ネームあるいはそれに付随するマーク等の被転写部を含む転写シールを転写シール作製装置４３により作製する。転写シール５０の構造を模式的に図２に示す。５１は基材（例えばＰＥＴ）、５２は離型層、５３は文字（絵柄）がある画像層、５４は接着層である。この転写シール作製には従来公知の各種の装置を使用することができる。
【００１４】
転写シールを、対象とする箸に転写するには、図３に模式的に示す手法により転写する。図３において６０は転写対象となる箸、６１はシリコーンロール、６２は転写シールである。フレキシビリティのあるシリコーンロールを用い、加熱条件下で転写することにより、湾曲面を持つ箸の表面にも容易に転写シールを転写することが可能となる。また、その転写方向を箸の長さ方向とすることにより、長さ方向にも容易に転写することが可能となる。
【００１５】
本実施例のシステムにおいては、ネームの記入処理済みの製品の情報と、これら製品の出荷情報及び費用の請求、入金情報の管理する手段をホストコンピューター４０内に設けておくこと好ましい。これら手法は従来公知の手法を採用することができる。
【００１６】
上記実施例によれば、コンピューター及び電気通信システムを利用してネーム入り箸の作製提供を行うようにしたので、従来に比べ著しくスピーディーにかつ安価で容易にその作製提供行うことができるようになる。また、クライアントに対する負担も著しく軽減できるようになる。
【００１７】
以上、本発明を一実施例に基づいて説明してきたが本発明はこれに限定されるものではなく種々の変更、変形が可能である。
例えば、上記では、クライアント端末装置として、インターネット接続されたパーソナルコンピュータを用いたが、いわゆるモバイル機器と証される携帯型小型コンピューター端末装置を用いてもよい。
また、クライアント端末装置として、インターネット接続可能な携帯電話を用いてもよい。
また、上記では、ネームの記入を転写シールを用いて行ったが、インクジェット方式に印字装置により行ってもよい。
さらに、上記では、インターネットに接続されたクライアント端末装置を用いてネーム入り箸の作製提供を行ったが、ネーム入り箸の注文情報を格納した電子情報記録媒体を利用してこの処理を行ってもよい。この場合、電子情報記録媒体とは、フロッピーディスク、光ディスク（ＭＯ、ＣＤ−Ｒ、ＣＤ−ＲＷ等）、メモリスティック等の電子情報格納可能な媒体を意味する。
【図面の簡単な説明】
【００１８】
【図１】本発明によるネーム入り箸の作製提供システムの概略構成を模式的に示す図である。
【図２】転写シールの構造を模式的に示す図である。
【図３】転写シールを箸に転写する手法を示す図である。
【図１】
2005346439.tif 000002
【図２】
2005346439.tif 000003
【図３】
2005346439.tif 000004